【手続補正書】
【提出日】平成27年7月2日(2015.7.2)
【手続補正１】
【補正対象書類名】明細書
【補正対象項目名】０００６
【補正方法】変更
【補正の内容】
【０００６】
上記課題を解決するため、本発明に係る撮像装置は、
撮像手段と、前記撮像手段により撮像される画像を表示する表示手段と、撮像指示が入力されてから所定の条件で自動的に前記撮像手段により被写体を撮像させる自動撮像処理を制御する撮像制御手段と、前記自動撮像処理中に変化する前記所定の条件に係る条件関連情報を設定する条件関連情報設定手段と、前記撮像手段による撮像の対象となる被写体の数を特定する第１特定手段と、前記第１特定手段により特定された被写体の数に応じて、前記条件関連情報設定手段により設定された前記条件関連情報のその大きさ及び位置のうちの少なくとも一方を変化させて前記表示手段に表示させる表示制御手段と、を備えたことを特徴としている。
【手続補正２】
【補正対象書類名】明細書
【補正対象項目名】０００７
【補正方法】変更
【補正の内容】
【０００７】
また、本発明に係る撮像方法は、
撮像手段と、前記撮像手段により撮像される画像を表示する表示手段と、を備える撮像装置を用いた撮像方法であって、撮像指示が入力されてから所定の条件で自動的に前記撮像手段により被写体を撮像させる自動撮像処理を制御する処理と、前記自動撮像処理中に変化する前記所定の条件に係る条件関連情報を設定する処理と、前記撮像手段による撮像の対象となる被写体の数を特定する処理と、特定された被写体の数に応じて、前記設定された条件関連情報のその大きさ及び位置のうちの少なくとも一方を変化させて前記表示手段に表示させる処理と、を含むことを特徴としている。
【手続補正３】
【補正対象書類名】明細書
【補正対象項目名】０００８
【補正方法】変更
【補正の内容】
【０００８】
また、本発明に係るプログラムは、
撮像手段と、前記撮像手段により撮像される画像を表示する表示手段と、を備える撮像装置のコンピュータに、撮像指示が入力されてから所定の条件で自動的に前記撮像手段により被写体を撮像させる自動撮像処理を制御する撮像制御機能、前記自動撮像処理中に変化する前記所定の条件に係る条件関連情報を設定する条件関連情報設定機能、前記撮像手段による撮像の対象となる被写体の数を特定する特定機能、前記特定機能により特定された被写体の数に応じて、前記条件関連情報設定機能により設定された前記条件関連情報のその大きさ及び位置のうちの少なくとも一方を変化させて前記表示手段に表示させる表示制御機能、を実現させることを特徴としている。
【手続補正４】
【補正対象書類名】明細書
【補正対象項目名】００３０
【補正方法】変更
【補正の内容】
【００３０】
また、表示制御部７ｂは、タイマー撮像処理におけるタイマー表示Ｔの大きさ及び位置を変化させる。
即ち、表示制御部（表示制御手段）７ｂは、第１特定部６ｂにより特定された被写体の数に応じて、撮像部１により撮像される画像を表示する表示パネル７ａに表示される自動撮像処理にて被写体が撮像されるまでの間に変化する所定の条件に係る条件関連情報の大きさ及び位置のうちの少なくとも一方を変化させる。具体的には、表示制御部７ｂは、タイマー撮像処理にて、被写体が撮像されるまでの残り時間を示すタイマー表示（残り時間表示）Ｔの大きさ及び位置を変化させる。
例えば、表示制御部７ｂは、撮像部１により撮像されるライブビュー画像Ｇを表示パネル７ａに表示させるとともに、当該ライブビュー画像Ｇに重畳させてタイマー表示Ｔを表示パネル７ａの表示画面の所定位置に表示させるようになっている。このとき、表示制御部７ｂは、第１特定部６ｂにより特定された被写体としての人の数が多いほど、表示パネル７ａの表示画面の寸法に対して相対的に大きい態様でタイマー表示（条件関連情報）Ｔを当該表示画面に表示させるようになっている（図５（ａ）参照）。また、表示制御部７ｂは、撮像部１により撮像される被写体としての人のライブビュー画像Ｇを表示パネル７ａの表示画面に表示させるとともに、当該ライブビュー画像Ｇにおける第２特定部６ｃにより特定された人の顔の位置とは異なる位置にタイマー表示（条件関連情報）Ｔを表示させるようになっている（図５（ｂ）参照）。
【手続補正５】
【補正対象書類名】明細書
【補正対象項目名】００３３
【補正方法】変更
【補正の内容】
【００３３】
なお、上記したタイマー表示（条件関連情報）Ｔの表示制御は、一例であってこれらに限られるものではなく、適宜任意に変更可能である。
また、表示制御部７ｂは、被写体の数に応じて、タイマー表示（条件関連情報）Ｔの大きさ及び位置を変化させるようにしたが、一例であってこれに限られるものではなく、例えば、タイマー表示Ｔの大きさのみ、或いは、タイマー表示Ｔの位置のみを変化させるようにしても良い。
【手続補正６】
【補正対象書類名】明細書
【補正対象項目名】００４９
【補正方法】変更
【補正の内容】
【００４９】
以上のように、本実施形態の撮像装置１００によれば、撮像部１により撮像された被写体の数に応じて、被写体側に臨むように配設された表示パネル７ａに表示されるタイマー表示（条件関連情報）Ｔの大きさ及び位置のうちの少なくとも一方を変化させるので、撮像部１により撮像された被写体の画像を表示する一の表示パネル７ａに、自動撮像処理にて被写体が撮像されるまでの間に変化する所定の条件に係る条件関連情報を表示させることができ、当該条件関連情報を用いて複数の被写体の自動撮像処理を好適に行うことができる。具体的には、一の表示パネル７ａにタイマー撮像処理にて被写体が撮像されるまでの残り時間を示すタイマー表示Ｔを表示させることができ、当該タイマー表示（条件関連情報）Ｔを被写体の数に応じて適正な大きさや位置とすることができる。
即ち、焦点距離を固定した状態では画角が所定の大きさであり、当該装置本体に対して被写体の存する位置（被写体距離）に応じて撮像部１により撮像可能な被写体の数も増減することとなる。例えば、当該装置本体から被写体までの距離が相対的に近い場合には、相対的に少ない数の被写体しか撮像することができないのに対して、被写体までの距離が相対的に遠い場合には、相対的に多い数の被写体を撮像することができることとなる。そこで、撮像部１により撮像された被写体の数の増減が被写体までの距離の遠近に相当するものと仮定し、当該被写体によるタイマー表示Ｔの視認性及び構図の確認を考慮してタイマー表示Ｔの大きさや位置を被写体の数に応じて適正に変化させるようになっている。具体的には、被写体の数が多いほどタイマー表示Ｔを表示パネル７ａの表示画面に対して相対的に大きく表示させることで、被写体までの距離が相対的に遠くなっても当該タイマー表示Ｔの被写体による視認性の低下を抑制することができる。また、被写体としての人の顔が特定されなかった場合には、タイマー表示Ｔを表示パネル７ａの表示画面内の端部に当該表示画面に対して相対的に小さく表示させるので、当該タイマー表示Ｔを被写体に視認させる必要のない場合等には景色や花等の撮像であると考えられることから、表示パネル７ａに表示されるタイマー表示Ｔがユーザによる構図の確認の邪魔にならないように、構図の確認を優先させたタイマー表示Ｔとすることができる。
【手続補正７】
【補正対象書類名】明細書
【補正対象項目名】００６４
【補正方法】変更
【補正の内容】
【００６４】
従って、変形例１の撮像装置２００によれば、上記実施形態と同様に、一の表示パネル７ａに表示されるタイマー表示（条件関連情報）Ｔを用いて複数の被写体の自動撮像処理を好適に行うことができる。加えて、被写体の数に応じて、タイマー撮像処理にて撮像部１が被写体を連続して撮像する撮像枚数を変化させるので、当該撮像枚数を被写体の数に応じて適正な数に設定することができる。即ち、複数の被写体を撮像する場合、全ての被写体が一のタイミングで同時に準備が整わない虞もあることから、被写体の数が相対的に多いほどタイマー撮像処理における撮像枚数を相対的に多くするように設定することで、何れかの被写体の準備が整っていない状態で撮像してしまうといったミスを低減させることができる。
さらに、連続して撮像された所定枚数の画像の中で、当該画像内の被写体の状態を基準として特定の画像を選択するので、複数の被写体を撮像する場合であっても、より多くの被写体の状態（例えば、人の場合には表情等）が最も良い特定の画像を選択することができる。
このように、被写体の数に応じて撮像枚数を設定することで、タイマー撮像処理の使い勝手をより向上させることができる。
【手続補正８】
【補正対象書類名】明細書
【補正対象項目名】００６５
【補正方法】変更
【補正の内容】
【００６５】
また、上記実施形態及び変形例１にあっては、自動撮像処理として、撮像指示が入力されてから所定の時間後に被写体を撮像するタイマー撮像処理を例示したが、一例であってこれに限られるものではなく、適宜任意に変更可能である。
例えば、撮像装置１００（２００）は、複数の被写体の全てが特定の状態（例えば、笑顔状態や目が開いた状態等）となったことをトリガーとして自動的に当該被写体を撮像する自動撮像処理を実行するようにし、撮像対象となる被写体の数に応じて、表示パネル７ａに表示される特定の状態となっている被写体の数に係る被写体状態表示（条件関連情報）Ｃの大きさや位置を変化させるようにしても良い（図９（ａ）及び図９（ｂ）参照）。
【手続補正９】
【補正対象書類名】明細書
【補正対象項目名】００６９
【補正方法】変更
【補正の内容】
【００６９】
従って、一の表示パネル７ａに自動撮像処理にて特定の状態となっている被写体の数に係る被写体状態表示Ｃを表示させることができ、当該被写体状態表示（条件関連情報）Ｃを被写体の数に応じて適正な大きさとすることができる。例えば、特定された被写体の数が多いほど被写体状態表示Ｃを表示パネル７ａの表示画面に対して相対的に大きく表示させることで、被写体までの距離が相対的に遠くなっても当該被写体状態表示Ｃの被写体による視認性の低下を抑制することができる。
【手続補正１０】
【補正対象書類名】明細書
【補正対象項目名】００７２
【補正方法】変更
【補正の内容】
【００７２】
加えて、上記実施形態にあっては、撮像制御手段、第１特定手段、表示制御手段としての機能を、中央制御部９の制御下にて、撮像制御部２、第１特定部６ｂ、表示制御部７ｂが駆動することにより実現される構成としたが、これに限られるものではなく、中央制御部９によって所定のプログラム等が実行されることにより実現される構成としても良い。
即ち、プログラムを記憶するプログラムメモリ（図示略）に、撮像制御処理ルーチン、特定処理ルーチン、表示制御処理ルーチンを含むプログラムを記憶しておく。そして、撮像制御処理ルーチンにより中央制御部９のＣＰＵを、撮像指示が入力されてから所定の条件で自動的に撮像手段により被写体を撮像させる自動撮像処理の実行を制御する手段として機能させるようにしても良い。また、特定処理ルーチンにより中央制御部９のＣＰＵを、撮像手段による撮像の対象となる被写体の数を特定する手段として機能させるようにしても良い。また、表示制御処理ルーチンにより中央制御部９のＣＰＵを、特定された被写体の数に応じて、表示手段に表示され、自動撮像処理にて被写体が撮像されるまでの間に変化する所定の条件に係る条件関連情報の大きさ及び位置のうちの少なくとも一方を変化させる手段として機能させるようにしても良い。
【手続補正１１】
【補正対象書類名】特許請求の範囲
【補正対象項目名】全文
【補正方法】変更
【補正の内容】
【特許請求の範囲】
【請求項１】
撮像手段と、
前記撮像手段により撮像される画像を表示する表示手段と、
撮像指示が入力されてから所定の条件で自動的に前記撮像手段により被写体を撮像させる自動撮像処理を制御する撮像制御手段と、
前記自動撮像処理中に変化する前記所定の条件に係る条件関連情報を設定する条件関連情報設定手段と、
前記撮像手段による撮像の対象となる被写体の数を特定する第１特定手段と、
前記第１特定手段により特定された被写体の数に応じて、前記条件関連情報設定手段により設定された前記条件関連情報のその大きさ及び位置のうちの少なくとも一方を変化させて前記表示手段に表示させる表示制御手段と、
を備えたことを特徴とする撮像装置。
【請求項２】
前記所定の条件は、前記撮像指示が入力されてから所定の時間後に前記撮像手段により被写体を撮像させる自動撮像処理に係る条件であって、
前記条件関連情報は、前記被写体が撮像されるまでの残り時間であることを特徴とする請求項１に記載の撮像装置。
【請求項３】
前記表示制御手段は、更に、前記第１特定手段により特定された被写体の数が多いほど前記条件関連情報を前記表示手段の表示画面に対して相対的に大きく表示させることを特徴とする請求項１又は２に記載の撮像装置。
【請求項４】
前記表示手段は、更に、被写体側に臨むように配設可能であって、
前記表示制御手段は、更に、前記撮像手段により撮像されるライブビュー画像を前記表示手段に表示させるとともに、当該ライブビュー画像に重畳させて前記条件関連情報を前記表示手段に表示させることを特徴とする請求項１〜３の何れか一項に記載の撮像装置。
【請求項５】
前記撮像手段により撮像された前記被写体としての人の顔の位置を特定する第２特定手段を更に備え、
前記表示制御手段は、前記撮像手段により撮像された前記人の画像を前記表示手段に表示させるとともに、当該画像における前記第２特定手段により特定された前記人の顔の位置とは異なる位置に前記条件関連情報を表示させることを特徴とする請求項１〜４の何れか一項に記載の撮像装置。
【請求項６】
前記表示制御手段は、前記第１特定手段により前記被写体としての人の顔が特定されなかった場合に、前記条件関連情報を前記表示手段の表示画面内の端部に当該表示画面に対して相対的に小さく表示させることを特徴とする請求項１〜５の何れか一項に記載の撮像装置。
【請求項７】
前記被写体の数に応じて、前記自動撮像処理にて前記撮像手段が前記被写体を撮像するまでの時間を変化させる第１設定制御手段を更に備えることを特徴とする請求項１〜６の何れか一項に記載の撮像装置。
【請求項８】
前記第１設定制御手段は、前記第１特定手段により特定された前記被写体の数が多いほど前記自動撮像処理にて前記撮像手段が前記被写体を撮像するまでの時間を相対的に長くすることを特徴とする請求項７に記載の撮像装置。
【請求項９】
前記被写体の数に応じて、前記自動撮像処理にて前記撮像手段が被写体を連続して撮像する数を変化させる第２設定制御手段を更に備えることを特徴とする請求項１〜８の何れか一項に記載の撮像装置。
【請求項１０】
前記第２設定制御手段は、前記第１特定手段により特定された前記被写体の数が多いほど前記自動撮像処理にて前記撮像手段が前記被写体を撮像する数を相対的に多くすることを特徴とする請求項９に記載の撮像装置。
【請求項１１】
前記撮像手段により連続して撮像された所定枚数の画像の中で、当該画像内の被写体の状態を基準として特定の画像を選択する選択手段を更に備えることを特徴とする請求項９又は１０に記載の撮像装置。
【請求項１２】
撮像手段と、前記撮像手段により撮像される画像を表示する表示手段と、を備える撮像装置を用いた撮像方法であって、
撮像指示が入力されてから所定の条件で自動的に前記撮像手段により被写体を撮像させる自動撮像処理を制御する処理と、
前記自動撮像処理中に変化する前記所定の条件に係る条件関連情報を設定する処理と、
前記撮像手段による撮像の対象となる被写体の数を特定する処理と、
特定された被写体の数に応じて、前記設定された条件関連情報のその大きさ及び位置のうちの少なくとも一方を変化させて前記表示手段に表示させる処理と、
を含むことを特徴とする撮像方法。
【請求項１３】
撮像手段と、前記撮像手段により撮像される画像を表示する表示手段と、を備える撮像装置のコンピュータに、
撮像指示が入力されてから所定の条件で自動的に前記撮像手段により被写体を撮像させる自動撮像処理を制御する撮像制御機能、
前記自動撮像処理中に変化する前記所定の条件に係る条件関連情報を設定する条件関連情報設定機能、
前記撮像手段による撮像の対象となる被写体の数を特定する特定機能、
前記特定機能により特定された被写体の数に応じて、前記条件関連情報設定機能により設定された前記条件関連情報のその大きさ及び位置のうちの少なくとも一方を変化させて前記表示手段に表示させる表示制御機能、
を実現させるためのプログラム。